(57)【要約】【課題】寝具等において、脱臭、抗菌（殺菌）、調湿効果、が得られると共に、これらの効果が迅速に発揮されるための手段を提供する。【解決手段】羽根布団１は、側生地である表生地２と裏生地３との間を、備長炭粒子７が付着されると共に、通気性を有する布である、まちテープ４により区分して、羽毛充填層６が区分されるようにし、備長炭粒子７のまちテープ４への付着は、バインダーに均一に分散させて得られた塗布材を塗布加工することで行う。【選択図】　図１
2004024592.tif 000002
【特許請求の範囲】
【請求項１】
袋体の内部を仕切るまちテープであって、該まちテープに吸着剤を付着させた、ことを特徴とするまちテープ。
【請求項２】
前記まちテープを通気性を有する布で形成した、ことを特徴とする請求項１に記載のまちテープ。
【請求項３】
前記吸着剤は粒子状とし、該吸着剤をバインダーに均一分散させて塗布材を構成し、該塗布材をまちテープに塗布して加工することにより付着させる、ことを特徴とする請求項１または請求項２に記載のまちテープ
【請求項４】
前記吸着剤を木炭とした、ことを特徴とする請求項１から請求項３のいずれかに記載のまちテープ。
【発明の詳細な説明】
【０００１】
【発明の属する技術分野】
本発明は、布団や枕やマットレス等の寝具やクッション等の袋やカバー内に緩衝部材や断熱材等を収納する袋体内部を仕切るまちテープに関する。
【０００２】
【従来の技術】
従来から、布団や枕や座布団やマットレス等の寝具において、多孔質の炭素素材を備えるようにして、脱臭や抗菌（殺菌）、調湿効果を得られるようにしたものが知られている。例えば、特開平１０−５７６４６号の技術である。
該技術においては、表生地と裏生地とからなる生地の外周間を、端側布で連結し、該端側布に炭素繊維層を形成することで、布団に脱臭や抗菌、調湿効果が得られるようにしている。
【０００３】
【発明が解決しようとする課題】
前記技術においては、脱臭や調湿効果を得るための炭素繊維層は、布団の外周を構成する布（端側布）にのみ配置される。つまり炭素繊維層の配設部位が限定されており、布団の中央部で、生地を通じて布団内部に進入する臭気や湿気等の除去が、布団の周辺部から進入する臭気や湿気等の除去に比べて遅れることとなる。
また、前記技術には、布団の内部における通気性に関しては記載されておらず、特に意識されていない。布団内部の通気性が不良である場合は、布団の中央部に進入した臭気や湿気等の除去を迅速に行うことができなくなってしまう。
本発明は、寝具、特に布団において、脱臭効果やその他抗菌、調湿効果が得られると共に、これらの効果が迅速に発揮されるための手段を提供する。
【０００４】
【課題を解決するための手段】
本発明の解決しようとする課題は以上の如くであり、次に該課題を解決するための手段を説明する。
即ち、請求項１においては、袋体の内部を仕切るまちテープであって、該まちテープに吸着剤を付着させたものである。
【０００５】
請求項２においては、前記まちテープを通気性を有する布で形成したものである。
【０００６】
請求項３においては、前記吸着剤は粒子状とし、該吸着剤をバインダーに均一分散させて塗布材を構成し、該塗布材をまちテープに塗布して加工することにより付着させるものである。
【０００７】
請求項４においては、前記吸着剤を木炭としたものである。
【０００８】
【発明の実施の形態】
これより、本発明のまちテープおよび該まちテープを使用した布団の一実施例について、図面を用いて説明する。
図１は羽毛布団１の構成を示す斜視図であり、図２は羽根布団１の布団長さ方向における断面図であり、図３はまちテープ４を示す平面図であり、図４は備長炭粒子７の付着の様子を示す糸８の斜視図である。
【０００９】
図１、図２に示すように、羽毛布団１は、表生地２および裏生地３を備え、表生地２と裏生地３とは、布団長さ方向および布団幅方向の端部間でそれぞれ縫い付けられて、袋状にして袋体が形成される。
また、両生地２・３間の適所がまちテープ４・４を介して連結される。具体的には、次のように構成される。表生地２の内面の端部間に間隔を空けて、複数のまちテープ４の（短手方向で）一側が縫い付けられる。また、裏生地３の内面の端部間にも間隔を空けて、複数のまちテープ４の一側が前記まちテープ４と位置を合わせて縫い付けられる。そして、両まちテープ４・４の他側同士が縫い付けられて、両生地２・３間が内部で連結される。
【００１０】
そして、表生地２および裏生地３間が、複数のまちテープ４・４により、羽根布団１の布団長さ方向および幅方向で略等間隔に仕切られて、多数の中袋１ａ・１ａ・・・が形成される。つまり中袋１ａは、表生地２および裏生地３と、まちテープ４・４とによって形成される袋体である。
【００１１】
各中袋１ａの内部には羽毛５・５・・・が充填されている。そして、表生地２および裏生地３間が、羽毛５を充填する羽毛充填層６とされている。
該羽毛充填層６は、まちテープ４・４により、布団長さ方向および布団幅方向で仕切られる構成である。
以上のようにして、羽根布団１が構成される。
【００１２】
まちテープ４は、通気性を有する布で構成される。
図３に示すように、まちテープ４は、連続した網目で構成される布製品（ニット）を帯状に構成し、通気性を有する布に形成されている。特に、本実施例では、経編みの一種であるクインズコードで形成される布としている。糸８を編むことで、まちテープ４が形成される。
このため、隣接する中袋１ａ・１ａ間の通気性が確保される。
なお、通気性を有する布としては、ニットに限定するものではない。
【００１３】
また、図４に示すように、まちテープ４を形成する糸８には、備長炭粒子７・７・・・が付着されている。備長炭粒子７は、糸８に比して小さな大きさとなるように、各粒子が形成されている。
備長炭は、樫の木を焼いて製造される木炭である。特に本実施例では、うばめ樫を原木とした備長炭を用いて木炭を製造し、該備長炭を粒子状として、前記備長炭粒子７を形成している。
【００１４】
糸８への備長炭粒子７の付着は、備長炭粒子７をバインダーに均一分散させて得られた塗布材を、まちテープ４上に塗布加工することにより行っている。
バインダーとしてはウレタン系、アクリル系、ゴム系、ビニール系などを用いることができるが、柔軟性、洗濯耐久性の観点からウレタン系が好ましく、なかでも水溶性ウレタン樹脂が更に好ましい。
【００１５】
以上構成により、吸着剤を付着させた、まちテープ４が形成される。
そして、該まちテープ４により、羽根布団１の生地（表生地２と裏生地３）間を仕切るので、まちテープ４を用いた羽根布団１は、消臭および吸湿効果を有している。
【００１６】
まちテープ４は通気性を有する布で形成されるので、隣接する中袋１ａ・１ａ間の通気性が確保される。このため、まちテープ４を用いた羽根布団１においては、該羽根布団１の一部に付着する臭気や湿気をまちテープ４の通気性を利用して、羽根布団１の全体に行き渡らせ、臭気や湿気の除去を迅速に行うことができる。
【００１７】
また、前記備長炭粒子７のように粒子状とした吸着剤のまちテープ４への付着は、バインダーに均一に分散させて得られた塗布材の塗布加工することで行っている。
このため、まちテープ４の通気性を損なうことなく、まちテープ４の全面に渡って、吸着剤を付着させることができる。したがって、消臭や吸湿効果の高いまちテープ４を製造することができる。
また、吸着剤を粒子状とするので、まちテープ４を備える羽根布団１の生地（表生地２または裏生地３）に人体が接触する際に、まちテープ上の吸着剤を感じることがなく、羽根布団１の快適性を損なうことがない。
【００１８】
また、吸着剤としては、前記備長炭粒子７のように木炭を用いるものとし、該木炭をまちテープ４に付着させる構成としている。
このため、まちテープ４を備える羽根布団１は、消臭、抗菌（殺菌）、整湿の効果を得ることができる。
【００１９】
以上において、羽根布団１は、生地である表生地２と裏生地３との間を、木炭である備長炭粒子７が付着されると共に、通気性を有する布である、まちテープ４により仕切って、羽毛充填層６が区分されるようにしている。
このため、羽根布団１には、消臭、抗菌（殺菌）、整湿効果が得られる。また、まちテープ４の通気性を利用して、羽根布団１の一部に付着する臭気や湿気を羽根布団１の全体に行き渡らせ、臭気の除去（消臭）、殺菌、整湿を迅速に行うことができる。したがって、該羽根布団１を寝具とすることで、使用者の就寝時における快適性が向上する。
【００２０】
なお、本実施例では、生地（表生地２と裏生地３）間に一層の羽毛充填層６が形成される羽毛布団１を例に上げたが、羽毛充填層の形成数は一層に限定されるものではない。側生地間に、該側生地と同じ布団長さおよび布団幅の生地を挿入するなどして、二層以上の羽毛充填層が形成される羽根布団であってもよい。
二層以上の羽毛充填層が形成される羽根布団においても、各羽毛充填層の区分を前記まちテープ４を用いて行うことで、付着させた木炭により、消臭、抗菌（殺菌）、整湿効果を得ることができると共に、該まちテープ４の通気性により、これらの効果を迅速に得ることができる。
【００２１】
また、本実施例ではまちテープ４を適用する布団として羽毛布団１としたが、わたを用いる布団一般に適用しても良い。羽毛の代わりに、わたの充填される充填層を、まちテープ４により区分することで、付着させた木炭により、前述の消臭、抗菌（殺菌）、整湿効果を得ることができる。加えて、該まちテープ４の通気性により、これらの効果を迅速に得ることができる。
【００２２】
【発明の効果】
請求項１記載の如く、袋体の内部を仕切るまちテープであって、該まちテープに吸着剤を付着させたので、
該まちテープを用いた袋体に消臭および吸湿効果を与えることができて、仕切られた空間相互で空気の流通がなされるときに、空気中に存在する湿気や臭気がまちテープの吸着剤に吸着され、布団やマットレス等の寝具や衣類等を清潔に保ち、ダニや菌類等の発生を抑え、臭気の発生も抑えることができる。
【００２３】
請求項２記載の如く、前記まちテープを通気性を有する布で形成したので、
該まちテープを用いた布団においては、該布団の一部に付着する臭気や湿気をまちテープの通気性を利用して、布団の全体に行き渡らせ、臭気や湿気の除去を迅速に行うことができる。
【００２４】
請求項３記載の如く、前記吸着剤は粒子状とし、該吸着剤をバインダーに均一分散させて塗布材を構成し、該塗布材をまちテープに塗布して加工することにより付着させるので、
該まちテープの通気性を損なうことなく、まちテープの全面に渡って、吸着剤を付着させることができる。したがって、消臭や吸湿効果の高いまちテープを容易に製造することができる。
また、吸着剤を粒子状とするので、まちテープを備える布団の生地に人体が接触する際に、まちテープ上の吸着剤を感じることがなく、布団の快適性を損なうことがない。
【００２５】
請求項４記載の如く、前記吸着剤を木炭としたので、
安価で容易に得られる木炭を使用でき、該まちテープを備える布団は、消臭、抗菌（殺菌）、整湿の効果を得ることができる。
【図面の簡単な説明】
【図１】羽毛布団１の構成を示す斜視図である。
【図２】羽根布団１の布団長さ方向における断面図である。
【図３】まちテープ４を示す平面図である。
【図４】備長炭粒子７の付着の様子を示す糸８の斜視図である。
【符号の説明】
１　羽毛布団
２　表生地（側生地）
３　裏生地（側生地）
４　まちテープ
６　羽毛充填層
７　備長炭粒子
【図１】
2004024592.tif 000003
【図２】
2004024592.tif 000004
【図３】
2004024592.tif 000005
【図４】
2004024592.tif 000006